(57)【要約】【課題】スピーディで不規則的で、躍動感のある動きをする可動役物装置を備え、暴れ牛等に人間が乗るロデオの動きを表現できる遊技機とする。【解決手段】パチンコ遊技機１０で、可動役物装置１００は、電気モータ１０６が作動連結された回転支柱１０５と、その一端側において支柱によって揺動自在でかつ回転可能に支持され、支柱の周囲に環状の受承面１０９を有するキャラクタ部材１０１と、他端側におい転支柱の周囲に配置されるとともに、先端部がキャラクタ部材の受承面に対峙する複数のロッド１１１ａ〜１１１ｄと、ロッドを独立して駆動する複数の電磁ソレノイド１１２ａ〜１１２ｄと、電気モータを駆動することで支柱を回転させつつ、ソレノイドを順次及び／又は同時に駆動してソレノイドに対応するロッドを受承面に対して突き当ててキャラクタ部材を揺動させることで、キャラクタ部材が暴れる様子を表現するキャラクタ部材制御手段２１とを有する。【選択図】図１６
2010273999.tif 000002
【特許請求の範囲】
【請求項１】
パチンコ球の転動遊技を行う遊技盤に演出用の可動役物装置を備えたパチンコ遊技機において、
前記可動役物装置は、
電気モータと、
前記電気モータが作動連結された回転支柱と、
前記回転支柱の一端側において該回転支柱によって揺動自在でかつ該回転支柱とともに回転可能に支持され、該回転支柱の周囲に環状の受承面を有するキャラクタ部材と、
前記回転支柱の他端側において該回転支柱の周囲に配置されるとともに、先端部が前記キャラクタ部材の前記受承面に対峙する複数のロッドと、
前記複数のロッドをそれぞれ独立して駆動する複数の電磁ソレノイドと、
前記電気モータを駆動することで前記回転支柱を回転させつつ、前記複数の電磁ソレノイドを順次及び／又は同時に駆動して該電磁ソレノイドに対応する前記ロッドを前記受承面に対して突き当てて前記キャラクタ部材を揺動させることで、該キャラクタ部材が暴れる様子を表現するキャラクタ部材制御手段と、
を有することを特徴とするパチンコ遊技機。
【発明の詳細な説明】
【技術分野】
【０００１】
本発明はパチンコ遊技機に関し、特に、電気的に可動する可動役物装置を有するパチンコ遊技機に関するものである。
【背景技術】
【０００２】
従来、パチンコ遊技機の中には、電気的に可動する可動役物装置を有していて、当該可動役物装置を用いて遊技演出を行うものがある。また、可動役物装置の中には、独特の動きをするように構成されたものも提案されている（例えば、特許文献１参照）。
【先行技術文献】
【特許文献】
【０００３】
【特許文献１】特開２００８−２０６８５８号公報
【発明の概要】
【発明が解決しようとする課題】
【０００４】
ここで、本発明者は、独特の動きをする可動役物装置として、暴れ牛又は暴れ馬に人間が乗るロデオの動きを表現した可動役物装置を有するパチンコ遊技機を製作したいと考えた。
【０００５】
しかしながら、従来のパチンコ遊技機の中には、暴れ牛や暴れ馬に人間が乗るロデオの動きを表現した可動役物装置を有するものはなかった。また、他の可動役物装置に用いられているような、モータ及び歯車等からなる機構による一定速度の規則的な動きで可動体を上下動させる可動役物装置の構成を、ロデオの暴れ牛や暴れ馬の動きに適用しようとしても、一定速度の規則的な動きではロデオの暴れ牛や暴れ馬の躍動感やスピーディで不規則な動きを表現することができなかった。
【０００６】
本発明は、このような事情に鑑みてなされたものであり、スピーディで不規則的であり、かつ、躍動感のある動きをする可動役物装置を備えることで、当該可動役物装置により暴れ牛や暴れ馬に人間が乗るロデオの動きを表現することができるパチンコ遊技機を提供することを目的とする。
【課題を解決するための手段】
【０００７】
かかる課題を解決するために、本発明の請求項１に記載の発明は、パチンコ球の転動遊技を行う遊技盤に演出用の可動役物装置を備えたパチンコ遊技機において、前記可動役物装置は、電気モータと、前記電気モータが作動連結された回転支柱と、前記回転支柱の一端側において該回転支柱によって揺動自在でかつ該回転支柱とともに回転可能に支持され、該回転支柱の周囲に環状の受承面を有するキャラクタ部材と、前記回転支柱の他端側において該回転支柱の周囲に配置されるとともに、先端部が前記キャラクタ部材の前記受承面に対峙する複数のロッドと、前記複数のロッドをそれぞれ独立して駆動する複数の電磁ソレノイドと、前記電気モータを駆動することで前記回転支柱を回転させつつ、前記複数の電磁ソレノイドを順次及び／又は同時に駆動して該電磁ソレノイドに対応する前記ロッドを前記受承面に対して突き当てて前記キャラクタ部材を揺動させることで、該キャラクタ部材が暴れる様子を表現するキャラクタ部材制御手段と、を有するパチンコ遊技機としたことを特徴とする。
【０００８】
請求項１に係る発明によれば、スピーディで不規則的であり、かつ、躍動感のある動きをする可動役物装置を備えているため、当該可動役物装置により暴れ牛や暴れ馬に人間が乗るロデオの動きを表現することができ、遊技の興趣を向上させることができる。
【図面の簡単な説明】
【０００９】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の可動役物装置の斜視図である。
【図５】同パチンコ遊技機の可動役物装置の通常時の正面図である。
【図６】同パチンコ遊技機の可動役物装置の通常時の背面図である。
【図７】同パチンコ遊技機の可動役物装置の通常時の左側面図である。
【図８】同パチンコ遊技機の可動役物装置の通常時の右側面図である。
【図９】同パチンコ遊技機の可動役物装置の通常時の上面図である。
【図１０】図９のＡ−Ａ断面図である。
【図１１】図８のＢ−Ｂ断面図である。
【図１２】図５のＣ−Ｃ断面図である。
【図１３】同パチンコ遊技機の可動役物装置の牛前傾時の正面図である。
【図１４】同パチンコ遊技機の可動役物装置の牛前傾時の右側面図である。
【図１５】図１４のＤ−Ｄ断面図である。
【図１６】同パチンコ遊技機の可動役物装置の牛後傾時の正面図である。
【図１７】同パチンコ遊技機の可動役物装置の牛後傾時の左側面図である。
【図１８】図１７のＥ−Ｅ断面図である。
【図１９】同パチンコ遊技機の可動役物装置の人形腕挙げ時の正面図である。
【図２０】同パチンコ遊技機の可動役物装置の人形腕挙げ時の背面図である。
【図２１】同パチンコ遊技機の可動役物装置の人形腕挙げ時の正面から見た断面図である。
【図２２】同パチンコ遊技機の可動役物装置の人形横傾き時の正面図である。
【図２３】同パチンコ遊技機の可動役物装置の人形横傾き時の背面図である。
【図２４】同パチンコ遊技機の可動役物装置の人形横傾き時の右側面図である。
【図２５】同パチンコ遊技機の可動役物装置の人形横傾き時の上面図である。
【図２６】図２５のＦ−Ｆ断面図である。
【図２７】図２２のＧ−Ｇ断面図である。
【図２８】図２２のＨ−Ｈ断面図である。
【発明を実施するための形態】
【００１０】
以下、本発明の実施の形態におけるパチンコ遊技機について図面を参照しながら説明する。図１は、本発明の実施の形態におけるパチンコ遊技機を表面側からみた斜視図であり、図２は、同パチンコ遊技機を背面側からみた斜視図である。
【００１１】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物装置及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１２】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１３】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１４】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１５】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３に設けられた透明板１７ａの後方に配置されている。
【００１６】
遊技板３１は、遊技盤３０の有する各構成部材を固定するための板である。ガイドレール３２は、この遊技板３１の表面側に固定されて、この遊技板３１上に、パチンコ球の発射通路３１ａと遊技領域３１ｂとを形成する。遊技領域３１ｂには複数の遊技釘（障害部材）３９が打ち込まれている。上述の打球槌が弾いたパチンコ球は、発射通路３１ａを通して遊技領域３１ｂ内に放出される。そして、遊技領域３１ｂ内に放出されたパチンコ球は遊技釘３９に当りながら転動して遊技領域３１ｂ内を流下する転動遊技を行う。
【００１７】
遊技盤３０のほぼ中央部には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有している。
【００１８】
また、演出表示装置３７の下方には、可動筐体部が電気的に可動する可動役物装置１００が配置されている。この可動役物装置１００は、演出表示装置３７の表示画面３７ａで行われる変動演出表示などのパチンコ遊技機１０の演出制御に応じて可動することで遊技の演出を行うようになっている。本実施の形態の可動役物装置１００は、暴れ牛に人間が乗るロデオの動きを表現したものであって、牛の形の可動筐体部１０１を有しており、この可動筐体部１０１が回動しながらその一部を上下動させて傾くことでロデオの暴れ牛を表現するようになっている。なお、可動役物装置１００の構成及びその動きの詳細については後述する。
【００１９】
また、遊技領域３１ｂ内において、可動役物装置１００のさらに下方には始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されており、開閉可能な一対の可動片３３ｘを備えている。始動入賞口３３は、可動片３３ｘが閉塞されているときには開口面積が小さくなってパチンコ球が入賞し難くなり、可動片３３ｘが開放されているときには開口面積が大きくなってパチンコ球が入賞し易くなる。
【００２０】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２１】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２２】
次に、可動役物装置１００の構成及びその動きについて、図４〜図２８を参照して説明する。図４は、本発明の実施の形態におけるパチンコ遊技機の可動役物装置１００の斜視図である。図５〜図１２は、同パチンコ遊技機の可動役物装置１００の通常時（牛の形の可動筐体部１０１がどの方向にも傾いていないフラットな状態時）の図である。図１３〜図１５は、同パチンコ遊技機の可動役物装置１００の牛前傾時（牛の形の可動筐体部１０１が前傾した状態時）の図である。図１６〜図１８は、同パチンコ遊技機の可動役物装置１００の牛後傾時（牛の形の可動筐体部１０１が後傾した状態時）の図である。図１９〜図２１は、同パチンコ遊技機の可動役物装置１００の人形腕挙げ時（牛の形の可動筐体部１０１の上に乗った人形１１６が腕を挙げた状態時）の図である。図２２〜図２８は、同パチンコ遊技機の可動役物装置１００の人形横傾き時（牛の形の可動筐体部１０１の上に乗った人形１１６が横に傾いた状態時）の図である。
【００２３】
可動役物装置１００は、図４〜図１２に示すように、取付基板１０２に略垂直に立設され、略垂直の軸を中心として回動可能に構成され、下部に形成された軸部１０３と、上部に形成されて軸部１０３より略水平方向に幅広となる幅広部１０４とを有する回転支柱１０５と、回転支柱１０５を回動駆動するために作動連結された本発明の電気モータとしての第１モータ１０６を有している。また、可動役物装置１００は、天面部１０７と、軸部１０３より幅広かつ幅広部１０４より幅狭の開口部１０８を備えた底面部１０９とを有し、内部に中空部１１０を有する中空体からなるキャラクタ部材としての可動筐体部１０１を有している。このキャラクタ部材としての可動筐体部１０１は、回転支柱１０５の一端側（上端側）において回転支柱１０５によって揺動自在でかつ回転支柱１０５とともに回転可能に支持され、回転支柱１０５の周囲に環状の受承面としての底面部１０９を有するものである。
【００２４】
また、可動役物装置１００は、回転支柱１０５の他端側（下端側）において回転支柱１０５の周囲に配置されるとともに、先端部がキャラクタ部材としての可動筐体部１０１の受承面としての底面部１０９に対峙する複数のロッド（第１ロッド１１１ａ、第２ロッド１１１ｂ、第３ロッド１１１ｃ、第４ロッド１１１ｄ）を有している。また、複数のロッド（第１ロッド１１１ａ、第２ロッド１１１ｂ、第３ロッド１１１ｃ、第４ロッド１１１ｄ）をそれぞれ独立して駆動する複数の電磁ソレノイド（第１ソレノイド１１２ａ、第２ソレノイド１１２ｂ、第３ソレノイド１１２ｃ、第４ソレノイド１１２ｄ）を有している。
【００２５】
すなわち、可動役物装置１００は、取付基板１０２における回転支柱１０５の周囲に配置され、開口部１０８より外側の底面部１０９に対して突き当たるように上下動する本発明の複数のロッドとしての第１ロッド１１１ａ、第２ロッド１１１ｂ、第３ロッド１１１ｃ、第４ロッド１１１ｄと、第１ロッド１１１ａ、第２ロッド１１１ｂ、第３ロッド１１１ｃ、第４ロッド１１１ｄをそれぞれ独立して駆動する複数の電磁ソレノイドとしての第１ソレノイド１１２ａ、第２ソレノイド１１２ｂ、第３ソレノイド１１２ｃ、第４ソレノイド１１２ｄを有している。
【００２６】
また、可動筐体部１０１は、開口部１０８に軸部１０３を挿通させると共に、中空部１１０に幅広部１０４を収容した上で、天面部１０７を幅広部１０４の上面に当接させることで、支柱１０５に対して揺動可能に支持され、かつ、支柱１０５の回動に追随して回動可能に構成されている。
【００２７】
また、前記した表示演出サブ基板２１の中に備えるキャラクタ部材制御手段が、電気モータとしての第１モータ１０６を駆動することで回転支柱１０５を回転させつつ、複数の電磁ソレノイド（第１ソレノイド１１２ａ、第２ソレノイド１１２ｂ、第３ソレノイド１１２ｃ、第４ソレノイド１１２ｄ）を順次及び／又は同時に駆動して電磁ソレノイド（第１ソレノイド１１２ａ、第２ソレノイド１１２ｂ、第３ソレノイド１１２ｃ、第４ソレノイド１１２ｄ）に対応するロッド（第１ロッド１１１ａ、第２ロッド１１１ｂ、第３ロッド１１１ｃ、第４ロッド１１１ｄ）を受承面としての底面部１０９に対して突き当ててキャラクタ部材としての可動筐体部１０１を揺動させることで、牛の形のキャラクタ部材が暴れる様子を表現するようになっている。
【００２８】
そして、キャラクタ部材制御手段の制御により、支柱１０５が回動しながら、第１ロッド１１１ａ、第２ロッド１１１ｂ、第３ロッド１１１ｃ、第４ロッド１１１ｄがそれぞれ独立して底面部１０９に対して突き当たることで、可動筐体部１０１は、第１ロッド１１１ａ、第２ロッド１１１ｂ、第３ロッド１１１ｃ、第４ロッド１１１ｄのいずれかが底面部１０９に突き当たる毎に、当該第１ロッド１１１ａ、第２ロッド１１１ｂ、第３ロッド１１１ｃ、第４ロッド１１１ｄが突き当たった箇所の底面部１０９が急に上方に持ち上げられると共に、当該第１ロッド１１１ａ、第２ロッド１１１ｂ、第３ロッド１１１ｃ、第４ロッド１１１ｄが突き当たった箇所を最上部として急に傾斜することを繰り返すようになっている。
【００２９】
以下、これらの可動役物装置１００の構成及びその動きについて、さらに詳細に説明する。支柱１０５は、第１モータ１０６の軸の先に固定された歯車１１３と歯合する歯車１１４に固定された軸であり、第１モータ１０６の駆動により回動するようになっている。また、支柱１０５は、その下部に細身の軸部１０３を有しており、上部に軸部１０３より略水平方向に幅広となる幅広部１０４を有している。
【００３０】
また、可動筐体部１０１は、本実施の形態では牛の形をした可動体からなり、内部に中空部１１０を有する中空体に構成されている。この可動筐体部１０１の中空部１１０には、前記した支柱１０５の幅広部１０４が所定の間隙を形成した状態で収容されている。また、可動筐体部１０１の底面１０９には、支柱１０５の軸部１０３より幅広かつ支柱１０５の幅広部１０４より幅狭に形成された開口部１０８を有しており、支柱１０５の軸部１０３が、この開口部１０８から下方に突出するようになっている。そして、このような状態の可動筐体部１０１に支柱１０５が挿通、収容され、可動筐体部１０１の天面部１０７に支柱１０５の幅広部１０４の上面を当接させるようになっている。これにより、支柱１０５に対して可動筐体部１０１が所定の間隙（余裕）をもった状態で係合することになり、可動筐体部１０１が揺動可能に支持されるようになっている。また、支柱１０５が回動したときには、幅広部１０４の回動により可動筐体部１０１が回動方向に押されて、可動筐体部１０１が支柱１０５の回動に追随するようになっている。
【００３１】
また、取付基板の下方には、４つのソレノイド（第１ソレノイド１１２ａ、第２ソレノイド１１２ｂ、第３ソレノイド１１２ｃ、第４ソレノイド１１２ｄ）が配置されており、このソレノイドに係合されたリンク部材（第１リンク部材１１５ａ、第２リンク部材１１５ｂ、第３リンク部材１１５ｃ、第４リンク部材１１５ｄ）を介して、４つのロッド（第１ロッド１１１ａ、第２ロッド１１１ｂ、第３ロッド１１１ｃ、第４ロッド１１１ｄ）がそれぞれ独立して上下動するように形成されている。４つのロッド１１１ａ，１１１ｂ，１１１ｃ，１１１ｄは、支柱１０５を中心として均等に分散するように配置されており、支柱１０５が回動することにより可動筐体部１０１が回動しても、常に可動筐体部１０１の底面１０９に当接可能となる位置に配置されている。
【００３２】
そして、支柱１０５を回動させて可動筐体部１０１を回動させながら、これらの４つのロッド１１１ａ，１１１ｂ，１１１ｃ，１１１ｄが独立して上下動することで、揺動可能な可動筐体部１０１を種々の方向に押し上げて傾かせることができるようになっている。例えば、図１３〜図１５に示すように、可動筐体部１０１を遊技機１０における左側を向かせた状態で、第２ソレノイド１１２ｂと第４ソレノイド１１２ｄの駆動により、第２ロッド１１１ｂと第４ロッド１１１ｄを突出させると、可動筐体部１０１の右側のみが押し上げられるようになり、牛が前傾したような状態にすることができる。また、図１６〜図１８に示すように、可動筐体部１０１を遊技機１０における左側を向かせた状態で、第１ソレノイド１１２ａと第３ソレノイド１１１ｃの駆動により、第１ロッド１１１ａと第３ロッド１１１ｃを突出させると、可動筐体部１０１の左側のみが押し上げられるようになり、牛が後傾したような状態にすることができる。
【００３３】
また、本実施の形態では、図１９〜図２１に示すように、第５ソレノイド１１７を駆動させることで、当該ソレノイドに固定されて牛及び人形の中を通したワイヤ（図示省略）で牛の形の可動筐体部１０１の上に乗った人形１１６の腕１１９の内部の所定箇所を引張るようになっており、これにより、人形１１６の腕が上がるようになっている（ロデオで片手乗りをしている様子を表現している）。
【００３４】
また、図２２〜図２８に示すように、第２モータ１１８を駆動させることで、当該モータ１１８の軸の先に固定された歯車１２１と歯合する歯車１２２を回転させ、この歯車１２２を介して回動するようにリンクされた回動板１２０が遊技機１０の前後方向に回動するようになっており、これにより、牛の形の可動筐体部１０１の上に乗った人形１１６が横（図２２では、遊技機１０の後方）に傾くようになっている（ロデオで牛から振り落とされる様子を表現している）。
【００３５】
本実施の形態では、前記したような構成を様々な組み合わせで動かすように制御することで、ロデオの動きをリアルに表現することができるようになっている。
【００３６】
以上のように、本実施の形態のパチンコ遊技機１０によれば、スピーディで不規則的であり、かつ、躍動感のある動きをする可動役物装置１００を備えているため、当該可動役物装置１００により暴れ牛や暴れ馬に人間が乗るロデオの動きを表現することができ、遊技の興趣を向上させることができる。
【００３７】
なお、以上説明した各実施の形態は、本発明の理解を容易にするために記載されたものであって、本発明を限定するために記載されたものではない。
【００３８】
例えば、前記した実施の形態では、４つのソレノイドと４つのロッドを有していたが、これに限るものではなく、２つ以上のソレノイドとロッドを有していれば、少なくともロデオの動きは表現できる。ただし、配置する場所が確保できれば、ロッドが多ければ多いほど、複雑な動きに対応することができ、好ましい。
【符号の説明】
【００３９】
１０…パチンコ遊技機、２１…表示演出サブ基板（キャラクタ部材制御手段）、３０…遊技盤、３１ｂ…遊技領域、１００…可動役物装置、１０１…可動筐体部（キャラクタ部材）、１０２…取付基板、１０３…軸部、１０４…幅広部、１０５…回転支柱、１０６…第１モータ（電気モータ）、１０７…天面部、１０８…開口部、１０９…底面部（受承面）、１１０…中空部、１１１ａ…第１ロッド（ロッド）、１１１ｂ…第２ロッド（ロッド）、１１１ｃ…第３ロッド（ロッド）、１１１ｄ…第４ロッド（ロッド）、１１２ａ…第１ソレノイド（電磁ソレノイド）、１１２ｂ…第２ソレノイド（電磁ソレノイド）、１１２ｃ…第３ソレノイド（電磁ソレノイド）、１１２ｄ…第４ソレノイド（電磁ソレノイド）
【図１】
2010273999.tif 000003
【図２】
2010273999.tif 000004
【図３】
2010273999.tif 000005
【図５】
2010273999.tif 000006
【図６】
2010273999.tif 000007
【図７】
2010273999.tif 000008
【図８】
2010273999.tif 000009
【図９】
2010273999.tif 000010
【図１０】
2010273999.tif 000011
【図１１】
2010273999.tif 000012
【図１２】
2010273999.tif 000013
【図１３】
2010273999.tif 000014
【図１４】
2010273999.tif 000015
【図１５】
2010273999.tif 000016
【図１６】
2010273999.tif 000017
【図１７】
2010273999.tif 000018
【図１８】
2010273999.tif 000019
【図１９】
2010273999.tif 000020
【図２０】
2010273999.tif 000021
【図２１】
2010273999.tif 000022
【図２２】
2010273999.tif 000023
【図２３】
2010273999.tif 000024
【図２４】
2010273999.tif 000025
【図２５】
2010273999.tif 000026
【図２６】
2010273999.tif 000027
【図２７】
2010273999.tif 000028
【図２８】
2010273999.tif 000029
【図４】
2010273999.tif 000030